(57)【要約】【課題】エンドユーザの購買意欲をかきたてることができる、魅力あるＣＭ動画を作成できる販促用ＣＭ動画作成支援システムを提供する。【解決手段】インターネットなどの双方向通信回線１上にＡＳＰサーバ装置１０を設置して、受注ホームページのＵＲＬを組み込んだ販促用基準ＣＭ動画を提示し、この提示されたＣＭ動画を、好みのタレントに応じた加工を施してカスタマイズＣＭ動画ファイルを作成し、作成したカスタマイズＣＭ動画ファイルのコピーや、その動画ファイルを保存してあるＵＲＬをダウロードさせるサービスを提供するようにしてある。【選択図】図１
2019057000.tif 000002
【特許請求の範囲】
【請求項１】
インターネットなどの双方向通信回線上にＡＳＰサーバを設置して、受注ホームページのＵＲＬを組み込んだ販促用基準ＣＭ動画を提示し、この提示されたＣＭ動画を、好みのタレントに応じた加工を施してカスタマイズＣＭ動画ファイルを作成し、作成したカスタマイズＣＭ動画ファイルのコピーや、その動画ファイルを保存してあるＵＲＬをダウロードさせるサービスを提供するようにした、販促用ＣＭ動画作成支援システム。
【請求項２】
請求項１において、
前記タレントは、声優、俳優、芸人、画家、ミュージシャンなどから選ばれた人である、販促用ＣＭ動画作成支援システム。
【請求項３】
請求項１または２において、
前記販促用基準ＣＭ動画ファイル、前記販促用カスタマイズＣＭ動画ファイルは、アフィリエイトが使用する販促ツールとしての機能を備えている、販促用ＣＭ動画作成支援システム。
【請求項４】
請求項１〜３のいずれか１項において、
前記ＡＳＰサーバ装置は、販促用カスタマイズＣＭ動画ファイルの販売を受け付け、販売代金の決済を受け付ける手段を備えている、販促用ＣＭ動画作成支援システム。
【請求項５】
請求項１〜４のいずれか１項において、
前記ＡＳＰサーバ装置は、販促用基準ＣＭ動画のパーツとなる基本動画ファイルの投稿を受け付ける手段を備えている、販促用ＣＭ動画作成支援システム。
【請求項６】
請求項１〜５のいずれか１項において、
前記ＡＳＰサーバ装置は、前記販促用カスタマイズＣＭ動画に加工により組み込まれた部分を加工用のパーツとして再利用させるパーツ使用手段を備えている、販促用ＣＭ動画作成支援システム。
【発明の詳細な説明】
【技術分野】
【０００１】
本発明は、インターネットなどの双方向通信回線を利用した販促用ＣＭ動画作成支援システムに関する。
【背景技術】
【０００２】
インターネットを用いた広告手法として、企業サイトへのリンクを可能としたバナー広告をＷｅｂページ内の一部に掲載し、閲覧者がそのリンクを経由して広告主である企業のサイトで商品を購入したり、会員登録をしたりすると、リンク元の主催者に報酬が支払われるアフィリエイト広告が知られている（たとえば、特許文献１参照）。
【０００３】
このアフィリエイト広告は、ブログやＳＮＳなどのページにリンクを張ることで簡易に実施することができるため、商取引目的ではない個人等のページ開設者が小遣い稼ぎとして始めるケースも多い。
【先行技術文献】
【特許文献】
【０００４】
【特許文献１】特開２０１５−４１２１４号公報
【発明の概要】
【発明が解決しようとする課題】
【０００５】
しかしながら、一般個人のブログやＳＮＳなどのページは、テレビのように広範囲の人たちに視聴（閲覧）されるわけではなく、限られた人たちにしか閲覧されないケースがほとんどである。特に、たとえば特定の趣味に特化したブログなどは、当然にその趣味に興味のある人たちにしか閲覧されない。したがって、そのようなブログのアフィリエイト広告では多くの収入を見込むことは期待できない。
【０００６】
また、バナー広告のクリック数を増やすために、ＳＥＯ対策などを講じてページそのものの閲覧数の増加を図ったり、ページ内で意図的にバナー広告に誘導したりする手法が一般化している。ところが、これら手法は広告自体を魅力あるものにする手法ではないため、結果的には広告主の商品ページに到達しない可能性がきわめて高い。ＣＭ動画の場合は特に、視聴に時間を要するため視聴の開始操作すらなされないことも多い。
【０００７】
販促用のＣＭ動画の場合、このような問題に対してブログ開設者等の広告発信者には、元のＣＭ動画を、その広告趣旨を変更することなくエンドユーザの購買意欲を高められる販促用ＣＭ動画に改変したいとの要望がある。なお近年、ゲーム業界では、ゲーム会社等が開発した基本となるゲームをベースにして、一般ユーザがクリエイトキットを用いて公開型で非公式の新たなゲームに改変する手法が一般に実施されている。
【０００８】
本発明は、このような事情を考慮して提案されたもので、その目的は、エンドユーザの購買意欲をかきたてることができる、魅力あるＣＭ動画を作成できる販促用ＣＭ動画作成支援システムを提供することにある。
【課題を解決するための手段】
【０００９】
上記目的を達成するために、本発明の販促用ＣＭ動画作成支援システムは、インターネットなどの双方向通信回線上にＡＳＰサーバを設置して、受注ホームページのＵＲＬを組み込んだ販促用基準ＣＭ動画を提示し、この提示されたＣＭ動画を、好みのタレントに応じた加工を施してカスタマイズＣＭ動画ファイルを作成し、作成したカスタマイズＣＭ動画ファイルのコピーや、その動画ファイルを保存してあるＵＲＬをダウロードさせるサービスを提供するようにしたことを特徴とする。
【発明の効果】
【００１０】
本発明の販促用ＣＭ動画作成支援システムによれば、上述した構成とされているため、エンドユーザの購買意欲をかきたてることができる魅力あるＣＭ動画を作成することができる。
【図面の簡単な説明】
【００１１】
【図１】本発明の一実施形態に係る販促用ＣＭ動画作成支援システムのシステム関連図である。
【図２】カスタマイズＣＭ動画を生成するためのカスタマイズ手順を示す流れ図である。
【図３】（ａ）（ｂ）は、パーツ使用手段の画面処理を示す図である。
【図４】カスタマイズＣＭ動画のリンク態様を示す図である。
【発明を実施するための形態】
【００１２】
以下に、本発明の実施の形態について、添付図面にもとづいて説明する。
【００１３】
本発明の販促用ＣＭ動画作成支援システム（以下、動画作成支援システムと略す）は、インターネットなどの双方向通信回線１（以下、通信回線１と略す）を用いて実施されるシステムである。通信回線１上にはＡＳＰサーバ１０が設置されており、ＡＳＰサーバ１０は受注ホームページのＵＲＬを組み込んだ販促用基準ＣＭ動画を提示し、この提示されたＣＭ動画を、好みのタレントに応じた加工を施して販促用カスタマイズＣＭ動画ファイルを作成し、作成したカスタマイズＣＭ動画ファイルのコピーや、その動画ファイルを保存してあるＵＲＬをダウロードさせる。
【００１４】
ようするに、本動画作成支援システムは、基準となる販促用ＣＭ動画に対し、好みのタレントに応じた加工（置換、付加等による合成）を施して販促用ＣＭ動画にカスタマイズできるようにしたシステムである。このカスタマイズされたＣＭ動画（以下、カスタマイズＣＭ動画と言う）は、ブログ等のＳＮＳの画面に組み込まれ、ブログサイトより拡散されてエンドユーザ等の通信端末で視聴することができる。
【００１５】
以下では、加工の例として、ボイスタレントの音声を基準ＣＭ動画に合成する例を用いて説明する。ここで音声による加工には、たとえば商品を説明する音声や動画のナレーション用の音声、動画の映像に登場するボイスタレントの音声などを、指定されたボイスタレントの音声に置換することや、付加することが含まれる。なお、付加する音声としては商品のセールストークでもよいが、それには限られず、すくなくともそのボイスタレントが発する種々の音声メッセージであればよい。
【００１６】
また以下には、カスタマイズＣＭ動画をアフィリエイト広告で拡散する例を示しているが、これには限られず、カスタマイズＣＭ動画を用いて販促する者がメール等を用いて拡散するようにしてもよい。
【００１７】
本実施形態の動画作成支援システムで用いる通信回線１には、ＡＳＰ（アプリケーション・サービス・プロバイダ）サーバ１０が接続され、そのサーバに対し、アフィリエイター側のパソコン等の通信端末（以下、アフィリエイター端末２０と言う）がアクセス可能に接続されている。本動画作成支援システムにおける販促用ＣＭ動画ファイルの作成は、これらＡＳＰサーバ１０、アフィリエイター端末２０のそれぞれの処理およびそれらの間の送受信でなされる。なお、本実施形態ではアフィリエイト広告を例としたものであるため、ＡＳＰサーバ１０は、アフィリエイト・サービス・プロバイダであってもよい。
【００１８】
なお、アフィリエイターとは、本動画作成支援システムにおいて、販促用ＣＭ動画を再生できるようにバナー（図４参照）等を貼り付けたページを作成し、そのページをエンドユーザ等の通信端末に提供する広告提供者である。バナーを貼り付けるページとしては、ブログやＳＮＳ、商品販売ページ、情報公開ページなど種々の画面が想定され得る。また、アフィリエイター端末２０とはＡＳＰサーバ１０との間でデータを送受信できる、アフィリエイターが本動画作成支援システムにおいて操作可能な通信端末装置である。
【００１９】
また、本実施形態の動画作成支援システムでは、図１に示すように、広告主等の動画提供者側のパソコン等の通信端末（以下、動画提供者端末３０と言う）や、ボイスタレント側の通信端末（以下、ボイスタレント端末３１と言う）が接続されている。
【００２０】
ＡＳＰサーバ１０は、アフィリエイター端末２０に対し、受注ホームページのＵＲＬを組み込んだ販促用基準ＣＭ動画を提示し、この提示されたＣＭ動画を、好みのボイスタレントに応じた音声による加工を施してカスタマイズＣＭ動画ファイルを作成し、作成したカスタマイズＣＭ動画ファイルのコピーや、そのＣＭ動画ファイルを保存してあるＵＲＬ（以下、これらをＣＭ動画リンク情報という）をダウロードさせるサービスを提供する。
【００２１】
ＡＳＰサーバ１０は、動画作成支援手段１１として、アフィリエイター端末２０でダウンロードして利用できる動画作成支援ツールを備えている。この動画作成支援ツールは、アフィリエイター端末２０での操作により、基準となる販促用ＣＭ動画を選択し、画像に合成付加する声のボイスタレントを選択し、ＡＳＰサーバ１０にカスタマイズ依頼する構成とされる。ＡＳＰサーバ１０は、その依頼によりＣＭ動画をカスタマイズし、依頼者のアフィリエイター端末２０に提供する。提供物としては、カスタマイズＣＭ動画ファイルや、そのファイルをリンクできるようにしたＵＲＬなどとされる。なお、動画作成支援ツールは汎用ブラウザで動作するものでもよいし、専用のアプリケーションであってもよい。
【００２２】
ＡＳＰサーバ１０には、アフィリエイター端末２０に選択させるために基準ＣＭ動画集１５をデータベースとして保存してある。この基準ＣＭ動画は、広告対象である商品、サービス等を動画で宣伝した販促用基準ＣＭ動画であり、すくなくとも受注ホームページのＵＲＬが商品の商品購入ボタンなどにより組み込んである。この基準ＣＭ動画は、デフォルトの音声が合成され、あるいは音声が組み込まれていないものである。
【００２３】
このように基準ＣＭ動画には受注ホームページにたどり着く手段が組み込まれており、すなわち販促ツールとしての機能を有している。この基準ＣＭ動画を利用して作成される、後述のカスタマイズＣＭ動画についても、当然に販促ツールとしての機能を有している。
【００２４】
基準ＣＭ動画は、本動画作成支援システムの運営者が作成するようにしてもよいが、図１に示すように、ＡＳＰサーバ１０が通信回線１を通じて、基準ＣＭ動画の素材となる動画の受け付けができる動画受付手段１２を備えて、広告主等の動画提供者端末３０から受け付けるようにしてもよい。これらを受け付ける対象者としては広告主に限られず、広告主から依頼を受けた広告代理店でももちろんよく、さらに趣味などで動画を生成する一般の動画生成者であってもよい。
【００２５】
また、広告主以外の一般の動画生成者が、種々の商品の動画を動画提供者端末３０からＡＳＰサーバ１０へ提供し、システム運営者がその動画をその商品を製造、販売する企業等へ紹介し、その企業等に、販促用のＣＭ動画の素材として採用することの承諾を得るようにしてもよい。たとえば、運営者は一般の動画生成者が作成した自動車のドライブ動画をＡＳＰサーバ１０で受け付け、その動画を販促用のＣＭ動画として使用することの可否をその自動車のメーカー（広告主）に問い合わせし、了解が得られれば、その動画に、受注ホームページにリンクするボタン等を付加して基準ＣＭ動画として登録できるようにしてもよい。
【００２６】
また、ＡＳＰサーバ１０はパーツ使用手段１１ａを備えている。パーツ使用手段１１ａは、カスタマイズＣＭ動画の生成に際して加工するためのパーツ、本実施形態ではボイスファイルをＡＳＰサーバ１０にアップロードしたり、ＡＳＰサーバ１０に保存されているものをダウンロードしたりする機能を有したツールとされる。本実施形態では、パーツ使用手段１１ａは動画作成支援手段１１に付随した手段とされているが、単独で用いられるものであってもよい。このようなパーツはパーツ・ライブラリ１６にデータベースとして保存してある。なお、パーツ・ライブラリ１６はＡＳＰサーバ１０とは別のサイトに構成したものであってもよい。
【００２７】
また、ボイスタレント端末３１は、ＡＳＰサーバ１０側より依頼を受け、カスタマイズＣＭ動画作成用のボイスファイルを生成し、または声を合成付加してカスタマイズＣＭ動画ファイルを生成し、それをＡＳＰサーバ１０に返信する。なお、アフィリエイター端末２０からの依頼にもとづいて、それらを生成するようにしてもよい。ボイスタレント端末３１で生成したボイスファイルは、ＡＳＰサーバ１０のパーツ・ライブラリ１６に保存されるようにすればよい。
【００２８】
ＡＳＰサーバ１０の運営者は、本動画作成支援システムにより生成したカスタマイズＣＭ動画、より詳しくはその動画に関するＣＭ動画リンク情報をアフィリエイターへ販売するようにしている。この情報を購入すればアフィリエイターが代金を運営者に支払うような契約とすればよい。
【００２９】
また、アフィリエイターは、自身のブログ等をエンドユーザ等の通信端末でダウンロードされ、カスタマイズＣＭ動画のＣＭ動画リンク情報がクリックされ、クリックした者が商品購入や会員登録を行った場合に、広告収入が得られる仕組みとされている。
【００３０】
本動画作成支援システムでは、以上のような運営者、アフィリエイター間の金銭の授受については、ＡＳＰサーバ１０が決済手段１３を備え、それらの間での決済を実行できるようにしてある。
【００３１】
また、本動画作成支援システムでは、カスタマイズＣＭ動画が自身のブログにもとづいて商品購入等にたどり着いたことがＡＳＰサーバ１０側で認識できるように、そのアフィリエイター端末のＩＤが種々の情報に付加、伝搬されて、ＡＳＰサーバ１０が入手できるようになっている。
【００３２】
また、アフィリエイターの依頼により生成されたカスタマイズＣＭ動画のＣＭ動画リンク情報は、他者の要望に応じてその他者のブログ等に貼り付けられるようにしてもよい。その場合は、アフィリエイター（親）と他者（子）との間で親子関係が築かれ、子のブログ等から商品購入等に至った場合に、子に支払われる広告収入の一部が親に支払われるようにしてもよい。また、親子間で直接的に金銭の授受がなされるようにしてもよい。
【００３３】
ついで、具体的な販促用カスタマイズＣＭ動画の生成手順について、図２を参照して説明する。
【００３４】
アフィリエイター端末２０では、アフィリエイター側の操作にもとづき、ＡＳＰサーバ１０にアクセスすることで動画作成支援ツールが起動され（ダウンロードされ）、まず基準ＣＭ動画選択画面１００が表示される。
【００３５】
この画面は、アフィリエイターが好みの基準ＣＭ動画を選択、決定できる画面であり、図例のように、複数の基準ＣＭ動画の中から選択可能とした一覧として表示される。アフィリエイター側の操作者は、それらの中から１つを選択し、決定ボタン１０２の操作で決定できるようになっている。この画面は、商品カテゴリーで区分されていてもよい。また、個別に視聴ボタン１０１が設けられており、操作者は基準ＣＭ動画を視聴した後に選択することができる。
【００３６】
基準ＣＭ動画が決定された後には、アフィリエイター端末２０にボイスタレント選択画面１１０が表示される。本実施形態の例では、レディーメイド、オーダーメイド、フリーの３種のタレント選択メニューが準備してある。
【００３７】
レディーメイドのメニューには、選択された基準ＣＭ動画への合成がＡＳＰサーバ１０側ですぐに行えるもの、あるいはすでにＡＳＰサーバ１０側で合成済みとしたもののタレントの一覧が表示されている。操作者はその中から１つを選択、決定すれば、即時あるいは少しの時間待つことでカスタマイズＣＭ動画の提供を受けることができる。
【００３８】
一方、オーダーメイドのメニューには、基準ＣＭ動画に合成可能なタレントの一覧が表示されている。操作者はその中から１つを選択、決定してＡＳＰサーバ１０に依頼すれば、それを受け付けてからＡＳＰサーバ１０がカスタマイズＣＭ動画を生成するように構成されている。
【００３９】
レディーメイド、オーダーメイドのそれぞれの選択肢にはプロフィール・ボタン１１１が配されており、操作者はそれを操作することで、タレントの音声を聴いたり、顔写真や似顔絵アイコン、出演番組、出身地などのプロフィールを閲覧したりすることができる。
【００４０】
また、フリーはアフィリエイター側がレディーメイド、オーダーメイドの各メニューに載っていないタレントを自由に指定できるようにしたもので、所望のタレント名を入力欄１１３に入力し、ＡＳＰサーバ１０に通知するものである。
【００４１】
以上のようにタレントが選択され、決定ボタン１１２で決定されたときには、その選択タレントがＡＳＰサーバ１０に通知される。レディーメイドの場合は、アフィリエイター端末２０には即時に、生成されたカスタマイズＣＭ動画のＣＭ動画リンク情報が通知されるようにしてもよい。オーダーメイドやフリーの場合は、ＡＳＰサーバ１０が依頼を受けてから、指定されたタレントのボイスファイルを生成し、そのファイルを基準ＣＭ動画に組み込んで合成、カスタマイズする。そして、そのカスタマイズＣＭ動画のＣＭ動画リンク情報を、依頼してきたアフィリエイター端末２０にメール等で供給する。なお、フリーの依頼において、ＡＳＰサーバ１０側でボイスファイルの生成ができない場合、アフィリエイター側の指揮のもとでボイスファイルを生成するようにしてもよい。
【００４２】
以上のようにして、アフィリエイター端末２０ではカスタマイズＣＭ動画（のＣＭ動画リンク情報）を入手し、その情報にもとづき自身が開設しているブログ２００（図４参照）にバナーなどでリンクを張り、アフィリエイト広告の準備が完了する。なお、ブログ２００は種々のブログサイトから配信できるものとする。もちろん、ＡＳＰサーバ１０がブログ２００を配信するブログサイトであってもよい。
【００４３】
以上のカスタマイズＣＭ動画の生成については、ＡＳＰサーバ１０側が、ＣＭ動画の生成の都度、その生成料金を徴収すればよい。上記動画作成支援ツールで基準ＣＭ動画が使用（ダウンロード）されるごとに費用を発生させるようにしてもよい。さらに、この動画作成支援ツールの使用の都度、使用料を徴収するようにしてもよい。
【００４４】
カスタマイズＣＭ動画の生成に関する、運営者、アフィリエイター間の契約としては、カスタマイズＣＭ動画の一定期間内での利用や、永久的な利用など種々の形態を設定すればよい。また、レディーメイド、オーダーメイドなどの種別によっても異ならせるようにしてもよい。フリーの場合は、タレントにカスタマイズＣＭ動画の使用権が発生するようにしてもよい。それらの契約形態ごとの費用は、図２の動画作成支援ツールの画面内に表示すればよい。
【００４５】
また、このようにアフィリエイターにより生成したカスタマイズＣＭ動画はブログサイトに保存されるが、ＡＳＰサーバ１０にも保存して、さらなる改変がされ得るようにしてもよい。カスタマイズＣＭ動画を改変したアフィリエイターが再度、改変するようにしてもよいし、他者（二次加工者）がカスタマイズＣＭ動画をさらにカスタマイズして利用できるようにしてもよい。さらに、三次、四次・・・と、連鎖状に加工利用できるようにしてもよい。
【００４６】
なお、アフィリエイターにより生成したカスタマイズＣＭ動画をもとに、ｎ次加工者が改変することを想定した場合には、そのカスタマイズＣＭ動画が基準ＣＭ動画となり得るので、そのカスタマイズＣＭ動画を図２の基準ＣＭ動画選択画面１００に含めて一覧として表示するようにすればよい。
【００４７】
以上に説明した図２の例におけるボイスタレントの選択は、レディーメイド、オーダーメイド、フリーで分類したメニューを表示する構成とされているが、まずタレントのカテゴリー表示や、タレントの五十音表示などのメニューからタレントを選択させ、その後、詳細（レディーメイド、オーダーメイド、フリーなど）を決定できる手順としてもよい。
【００４８】
また、本実施形態では、フリー等で作成したボイスファイルは加工用のパーツとして再利用できるようにされており、本実施形態では、図３（ａ）（ｂ）に示したアフィリエイター端末２０側での画面処理でパーツ使用手段１１ａ（図１参照）を構成するようにしてある。
【００４９】
図３（ａ）は、パーツをＡＳＰサーバ１０のパーツ・ライブラリ１６に保存するためのパーツ格納画面１５０であり、ファイル指定欄１５１とアップロード・ボタン１５２により、指定したボイスファイルをＡＳＰサーバ１０にアップロードできるようになっている。また図３（ｂ）は、パーツを再利用する際に、ＡＳＰサーバ１０のパーツ・ライブラリ１６から取り出すためのパーツ使用画面１６０である。パーツ使用画面１６０には複数のパーツを並べたパーツ選択メニュー１６１が表示され、その中から１つを選択してダウンロード・ボタン１６２の操作でダウンロードできるようになっている。このパーツ使用手段１１ａは、図２に示した動画作成支援ツール（動画作成支援手段１１）による依頼から、カスタマイズＣＭ動画のＣＭ動画リンク情報の提供までの流れに連動させて使用できるようにすれば使い勝手がよいが、単独で使用できるようにしてもよい。
【００５０】
パーツ・ライブラリ１６へのパーツの格納は、フリーで生成した際のボイスファイルには限られない。たとえば、ＡＳＰサーバ１０がオーダーメイドの依頼を受けた後に、作成したボイスファイルをパーツ・ライブラリ１６へ格納してもよいし、ボイスタレント端末３１から受け付けたボイスファイルをパーツ・ライブラリ１６へ格納してもよい。その場合、図３（ａ）のパーツ格納画面１５０を用いてもよい。また、ボイスタレント端末３１でパーツ格納画面１５０を用いてボイスファイルをアップロードするようにしてもよい。
【００５１】
ＡＳＰサーバ１０はこのようにパーツ使用手段１１ａを有しているため、パーツ・ライブラリ１６は使用の都度、増殖されていく可能性があり、本動画作成支援システム自体をより有益なものとして拡張化することができる。また、ボイスファイルを保存、増殖しやすい構成であるため、タレントの収入増につながり、オファーの少ないタレントを金銭的に援助することもできる。
【００５２】
図４は、アフィリエイターのブログ２００におけるカスタマイズＣＭ動画による広告例を示す図である。この図に示すように、アフィリエイターのブログ２００にはカスタマイズＣＭ動画用のバナー２０１が貼り付けてある。この画面がエンドユーザ等の通信端末で表示され、バナー２０１がクリックされることで、アフィリエイターがカスタマイズしたカスタマイズＣＭ動画がエンドユーザの通信端末で再生される。その動画の再生画面には、動画によって宣伝される商品の商品購入ボタン（受注ホームページのＵＲＬを伴ったもの）が併設されており、それがクリックされれば、その商品の受注ホームページが表示され、そこで商品購入がなされたり、会員登録がなされたりする。
【００５３】
カスタマイズＣＭ動画を再生させるためのバナー２０１には、商品を識別するための商品名等の情報のみならず、図４に示すように、どのボイスタレントにもとづきカスタマイズされたかを識別できるようにした、タレントのアイコン２０２や写真が含まれている。これにより、このページを表示する通信端末側では、好みのタレントであるかどうかを識別することができる。
【００５４】
以上のようにして、アフィリエイターは、自身の好みで独自のカスタマイズＣＭ動画を生成することができる。そのため、アフィリエイターが開設しているブログ２００の目的に合致したＣＭ動画をカスタマイズ生成することができる。たとえば、アニメに特化したブログの場合、アニメの声優として著名なタレントでＣＭ動画をカスタマイズしたものを用いれば、同じ趣味の仲間がそのＣＭ動画を好んで閲覧する可能性が高く、商品の購入に結びつきやすい。
【００５５】
以上には、音声を動画に対し付加し、あるいは元の音声と置換する例を示したが、基準のＣＭ動画に対し、好みのタレントに応じた音声以外の加工を施すものであってもよい。たとえば、好みのタレントの音声付きの動画を基準ＣＭ動画の最初や最後に付加するものでもよいし、タレントの写真、似顔絵（アイコン）などを基準ＣＭ動画に１〜複数コマ挿入して、ファンの意識を刺激するようにしたものであってもよい。さらに、タレントの写真、似顔絵（アイコン）などを動画に重ねるようにしたものであってもよい。また、ミュージシャンの演奏を動画のＢＧＭとして付加するものであってもよい。さらに、商品のスポンサーが協賛するドラマに出演している俳優の演技を挿入、付加するものであってもよい。
【００５６】
音声以外の加工が可能なシステムの場合には、加工用のパーツもボイスファイルには限られず、種々の形態のものが許容される。パーツとしては、たとえば静止画や動画であってもよいし、写真やアイコンであってもよい。また、パーツ・ライブラリ１６（図１参照）は、パーツの形態によって区分されたものであってもよい。
【００５７】
タレントとしては、声優やミュージシャンに限られず、俳優や芸人、画家などのさまざまな職種の人物を想定することができる。もちろん職種にこだわらなくてもよい。たとえば、「おまかせ」のような依頼方法を設けた場合には運営者側に携わる人物をタレントとして利用してもよいし、フリーの場合にはアフィリエイター側の人物をタレントとして利用してもよい。また、基準ＣＭ動画の作成編集の関係者などであってもよい。さらに、閉ざされた会社等の組織内ネットワークで特定企業の商品を販売するような場合に適用してもよく、その閉ざされた組織内で有名な人物（たとえば社長）に応じた加工を行うようにしてもよい。その場合、アフィリエイターはその組織内の一員であってもよい。このような手法は、商品を会社ごとに、組織内の一員が販促メンバーとして販売促進するような販売方式に有効である。
【００５８】
以上のような手法で生成した販促用カスタマイズＣＭ動画は、公開される前に、そのカスタマイズＣＭ動画が広告主の広告趣旨を逸脱したものになっていないかを運営者、広告主のすくなくとも一方がチェックすることが望ましい。たとえばＡＳＰサーバ１０または（広告主の）動画提供者端末３０が、広告趣旨が変更されているかどうかを、たとえば改変を加えた部分の全体長さにおける割合等で簡易に判断できるチェック手段を備えてもよい。このようなチェックは、選択したタレントに応じて動画を付加するカスタマイズを行った場合など大きな改変、加工がなされたときには有効である。
【符号の説明】
【００５９】
１            通信回線
１０          ＡＳＰサーバ
１１          動画作成支援手段
１２          動画受付手段
１３          決済手段
１５          基準動画集
２０          アフィリエイター端末
３０          動画提供者端末
３１          ボイスタレント端末
１００        基準ＣＭ動画選択画面
１０１        視聴ボタン
１０２        決定ボタン
１１０        ボイスタレント選択画面
１１１        プロフィール・ボタン
１１２        決定ボタン
１５０        パーツ格納画面
１５１        ファイル指定欄
１５２        アップロード・ボタン
１６１        パーツ選択メニュー
１６２        ダウンロード・ボタン
１６０        パーツ使用画面
２００        ブログ
２０１        バナー
２０２        タレントのアイコン
【図１】
2019057000.tif 000003
【図２】
2019057000.tif 000004
【図３】
2019057000.tif 000005
【図４】
2019057000.tif 000006
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
カスタマイズＣＭ動画を提供するＡＳＰサーバを備えた販促用ＣＭ動画作成支援システムであって、
前記ＡＳＰサーバは、受注ホームページのＵＲＬを組み込んだ複数の販促用基準ＣＭ動画と、タレントの一覧とを保存しており、
好みの販促用基準ＣＭ動画とタレントの選択を受け付けると、該販促用基準ＣＭ動画に選択したタレントのボイスまたは演奏を組み込んでカスタマイズＣＭ動画を作成するようにしたことを特徴とする、販促用ＣＭ動画作成支援システム。
【請求項２】
請求項１において、
前記ＡＳＰサーバは、前記販促用基準ＣＭ動画に、前記当該タレントの画像を更に組み込むようにしている、販促用ＣＭ動画作成支援システム。
【請求項３】
請求項１又は２において、
前記タレントは、声優、俳優、芸人、画家、ミュージシャンの内のいずれかである、販促用ＣＭ動画作成支援システム。
【手続補正２】
【補正対象書類名】明細書
【補正対象項目名】０００９
【補正方法】変更
【補正の内容】
【０００９】
上記目的を達成するため、本発明の販促用ＣＭ動画作成支援システムは、カスタマイズＣＭ動画を提供するＡＳＰサーバを備えた販促用ＣＭ動画作成支援システムであって、前記ＡＳＰサーバは、受注ホームページのＵＲＬを組み込んだ複数の販促用基準ＣＭ動画と、タレントのリストとを保存しており、好みの販促用基準動画とタレントの選択を受け付けると、該販促用基準ＣＭ動画にタレントのボイス又は演奏を組み込んでカスタマイズＣＭ動画を作成する構成になっている。